(57)【要約】【課題】ＬＥＤが搭載された基板を収容した円筒状の外郭ケースの両端に、ＬＥＤに電源を供給するための接続端子を具備する端部カバーが嵌め込まれて構成されるＬＥＤ照明器具において、ランプソケットに装着された場合にＬＥＤから照射された光の向きが所定の向きとなるように外郭ケースと端部カバーとの位置合わせを容易に行う。【解決手段】外郭ケース２と口金３０との間に介在する回転規制部材１０が、外郭ケース２の溝２１に嵌め込まれる突起部１２と、口金ピン３１ａ，３１ｂに対向する突起３２ａ，３２ｂが嵌め込まれる楕円形の孔部１３とを有する。【選択図】図３
2012094279.tif 000002
【特許請求の範囲】
【請求項１】
ＬＥＤが搭載された基板が円筒状の外郭ケースに収容され、前記ＬＥＤに電源を供給するための接続端子を具備する端部カバーが前記外郭ケースの両端に嵌め込まれ、ランプソケットに装着されて前記ＬＥＤから光が照射されるＬＥＤ照明器具において、
前記外郭ケースと前記端部カバーとの間に介在する回転規制部材を有し、
該回転規制部材は、
前記ＬＥＤ照明器具が前記ランプソケットに装着された状態における前記ＬＥＤからの光の照射方向に応じて当該回転規制部材が決められた方向となるように、当該回転規制部材を前記外郭ケースの円筒面に沿った回転を規制して前記外郭ケースに保持する第１の保持手段と、
当該回転規制部材を前記端部カバーに保持する第２の保持手段とを有するＬＥＤ照明器具。
【請求項２】
請求項１に記載のＬＥＤ照明器具において、
前記外郭ケースは、前記基板を保持するための溝を有し、
前記第１の保持手段は、前記溝に嵌合する突起部であるＬＥＤ照明器具。
【請求項３】
ＬＥＤが円筒状の外郭ケースに収容され、前記ＬＥＤに電源を供給するための接続端子を具備する端部カバーが前記外郭ケースの両端に嵌め込まれ、ランプソケットに装着されて前記ＬＥＤから光が照射されるＬＥＤ照明器具の前記外郭ケースと前記端部カバーとの間に介在する回転規制部材であって、
前記ＬＥＤ照明器具が前記ランプソケットに装着された状態における前記ＬＥＤからの光の照射方向に応じて当該回転規制部材が決められた方向となるように、当該回転規制部材を前記外郭ケースの円筒面に沿った回転を規制して前記外郭ケースに保持する第１の保持手段と、
当該回転規制部材を前記端部カバーに保持する第２の保持手段とを有する回転規制部材。
【発明の詳細な説明】
【技術分野】
【０００１】
本発明は、ＬＥＤを光源として用いたＬＥＤ照明器具及びこれに用いられる回転規制部材に関する。
【背景技術】
【０００２】
ＬＥＤ（Light Emitting Diode）は、エネルギー効率に優れているとともに長寿命であり、また、近年においては高輝度化が進んでいることにより、様々な照明光源として利用されている。例えば、複数のＬＥＤを配列し、蛍光灯ランプの代わりとして利用することが考えられている。
【０００３】
一般的に蛍光灯ランプは、円筒状の蛍光灯管の両端に口金が嵌め込まれており、この口金に取り付けられた口金ピンをランプソケットに嵌合させることにより、天井等の取り付け場所に固定されるとともに電源が供給されることになるが、ＬＥＤを蛍光灯ランプの代わりに利用した場合、ＬＥＤは蛍光灯のようにその照射角度が３６０度ではないため、設置する際にＬＥＤから照射された光の向きを考慮する必要がある。
【０００４】
そこで、ＬＥＤが搭載されたＬＥＤ基板を収容した円筒状の外郭ケースの両端に口金が嵌め込まれる構成において、外郭ケースと口金との向きをＬＥＤから照射された光の向きに合わせて規定するために、外郭ケースと口金にそれぞれマーキングを施しておき、外郭ケースの両端に口金を嵌め込む際にこのマーキングを合わせることにより、ＬＥＤから照射された光の向きが所望の向きとなるようにすることが考えられる。ところが、そのように外郭ケースと口金にそれぞれ施されたマーキングを合わせる場合、その位置合わせに精細さが要求されるため、製造工程が煩雑になってしまう。
【０００５】
ここで、ＬＥＤが搭載されたＬＥＤ基板を収容した円筒状の外郭ケースの両端に口金が嵌め込まれた構成において、外郭ケースを口金に対して回転可能としたものが考えられている（例えば、特許文献１参照。）。このように外郭ケースを口金に対して回転可能とすることにより、製造工程において外郭ケースと口金との精細な位置合わせを行うことなく、ＬＥＤから照射された光の向きを任意に設定することができるようになる。
【先行技術文献】
【特許文献】
【０００６】
【特許文献１】特開２００７−１２３２２号公報
【発明の概要】
【発明が解決しようとする課題】
【０００７】
しかしながら、上述したように、ＬＥＤが搭載されたＬＥＤ基板を収容した円筒状の外郭ケースの両端に口金のような端部カバーが嵌め込まれた構成において、外郭ケースを端部カバーに対して回転可能とすることにより、ＬＥＤから照射された光の向きを任意に設定することができるようにしたものにおいては、外郭ケースの種類によってはＬＥＤを発光させなければＬＥＤからの光の照射方向を認識することができず、また、端部カバーに設けられた接続端子をランプソケットに嵌合させて天井等の取り付け場所に固定した状態で外郭ケースの向きを調整することとなるため、ユーザの手間がかかってしまうという問題点がある。
【０００８】
本発明は、上述したような従来の技術が有する問題点に鑑みてなされたものであって、ＬＥＤが搭載された基板を収容した円筒状の外郭ケースの両端に、ＬＥＤに電源を供給するための接続端子を具備する端部カバーが嵌め込まれて構成されるＬＥＤ照明器具において、ランプソケットに装着された場合にＬＥＤから照射された光の向きが所定の向きとなるように外郭ケースと端部カバーとの位置合わせを容易に行うことができるＬＥＤ照明器具及び回転規制部材を提供することを目的とする。
【課題を解決するための手段】
【０００９】
上記目的を達成するために本発明は、
ＬＥＤが搭載された基板が円筒状の外郭ケースに収容され、前記ＬＥＤに電源を供給するための接続端子を具備する端部カバーが前記外郭ケースの両端に嵌め込まれ、ランプソケットに装着されて前記ＬＥＤから光が照射されるＬＥＤ照明器具において、
前記外郭ケースと前記端部カバーとの間に介在する回転規制部材を有し、
該回転規制部材は、
前記ＬＥＤ照明器具が前記ランプソケットに装着された状態における前記ＬＥＤからの光の照射方向に応じて当該回転規制部材が決められた方向となるように、当該回転規制部材を前記外郭ケースの円筒面に沿った回転を規制して前記外郭ケースに保持する第１の保持手段と、
当該回転規制部材を前記端部カバーに保持する第２の保持手段とを有する。
【００１０】
上記のように構成された本発明においては、ＬＥＤが搭載された基板が収容された円筒状の外郭ケースと、ＬＥＤに電源を供給するための接続端子を具備し、外郭ケースの両端に嵌め込まれた端部カバーとの間に介在する回転規制部材が、第１の保持手段によって、ＬＥＤ照明器具がランプソケットに装着された状態におけるＬＥＤからの光の照射方向に応じて決められた方向となるように外郭ケースの円筒面に沿った回転が規制されて外郭ケースに保持されているとともに、第２の保持手段によって端部カバーに保持されているので、回転規制部材が外郭ケースと端部カバーとの間に介在した状態においては、ＬＥＤから照射された光の向きが接続端子の形状または位置に応じた方向となっている。
【００１１】
このように、回転規制部材を第１の保持手段によって外郭ケースに保持するとともに第２の保持手段によって端部カバーに保持した状態でこれら外郭ケースと端部カバーとの間に介在させるだけで、ＬＥＤから照射された光の向きを接続端子の形状または位置に応じた向きとすることができ、それにより、ＬＥＤに電源を供給するために接続端子が接続されるランプソケットに装着された場合にＬＥＤから照射された光の向きが所定の向きとなるように外郭ケースと端部カバーとの位置合わせを容易に行うことができる。
【００１２】
また、外郭ケースが基板を保持するための溝を有し、第１の保持手段を、この溝に嵌合する突起部とすることにより、外郭ケースに回転規制部材を保持するための手段を新たに設ける必要がない。
【発明の効果】
【００１３】
本発明は以上説明したように構成されているので、回転規制部材を第１の保持手段によって外郭ケースに保持するとともに第２の保持手段によって端部カバーに保持した状態でこれら外郭ケースと端部カバーとの間に介在させるだけで、ＬＥＤから照射された光の向きを接続端子の形状または位置に応じた向きとすることができ、それにより、ＬＥＤに電源を供給するために接続端子が接続されるランプソケットに装着された場合にＬＥＤから照射された光の向きが所定の向きとなるように外郭ケースと端部カバーとの位置合わせを容易に行うことができる。
【図面の簡単な説明】
【００１４】
【図１】本発明の回転規制部材の実施の一形態を示す図であり、（ａ）は外観斜視図、（ｂ）は（ａ）に示した矢印Ａ方向から見た図、（ｃ）は（ａ）に示した矢印Ｂ方向から見た図である。
【図２】図１に示した回転規制部材が装着されるＬＥＤ照明器具の一例を示す図であり、（ａ）は外観斜視図、（ｂ）は内部構造を示す斜視図、（ｃ）は輪切りにした断面図、（ｄ）は（ａ）に示した口金の裏側の斜視図である。
【図３】図１に示した回転規制部材の図２に示したＬＥＤ照明器具への装着方法を説明するための図である。
【図４】図２に示したＬＥＤ照明器具において外郭ケースと口金との間に図１に示した回転規制部材を介在させた場合の回転規制部材の状態を示す図であり、（ａ）は外郭ケースに対する回転規制部材の状態を示す図、（ｂ）は口金に対する回転規制部材の状態を示す図である。
【図５】図２に示したＬＥＤ照明器具において外郭ケースと口金との間に図１に示した回転規制部材を介在させた場合の作用を説明するための図であり、（ａ）はＬＥＤ照明器具が装着されるランプソケットの斜視図、（ｂ）はＬＥＤ照明器具が（ａ）に示したランプソケットに装着された状態をＬＥＤ照明器具の長手方向から見た図である。
【発明を実施するための形態】
【００１５】
以下に、本発明の実施の形態について図面を参照して説明する。
【００１６】
図１は、本発明の回転規制部材の実施の一形態を示す図であり、（ａ）は外観斜視図、（ｂ）は（ａ）に示した矢印Ａ方向から見た図、（ｃ）は（ａ）に示した矢印Ｂ方向から見た図である。
【００１７】
本形態における回転規制部材は図１に示すように、円形の平板部１１と、平板部１１の一方の面上に起立した第１の保持手段となるコの字状の突起部１２とから構成されている。平板部１１には、その中央部分に表裏貫通した楕円形の第２の保持手段となる孔部１３が形成されており、突起部１２は、その開口側が平板部１１側となるように孔部１３を長手方向に跨って設けられている。
【００１８】
図２は、図１に示した回転規制部材１０が装着されるＬＥＤ照明器具の一例を示す図であり、（ａ）は外観斜視図、（ｂ）は内部構造を示す斜視図、（ｃ）は輪切りにした断面図、（ｄ）は（ａ）に示した口金３０の裏側の斜視図である。
【００１９】
本形態は図２に示すように、光を透過するとともに反射させる材料であるポリカーボネートからなる円筒状の外郭ケース２０の両端部に端部カバーとなる口金３０が嵌め込まれて構成されている。この外郭ケース２０の内部には、一方の面に複数のＬＥＤ４１が搭載された帯状のＬＥＤ基板４０と、このＬＥＤ基板４０上に搭載された反射板５０とを有している。
【００２０】
ＬＥＤ基板４０は、その一方の面上に、複数のＬＥＤ４１が２列をなして搭載されており、複数のＬＥＤ４１が列をなす方向に沿う端部が外郭ケース２０の内側面に設けられた溝２１に嵌め込まれて固定されている。
【００２１】
反射板５０は、少なくとも一方の面が鏡面等の反射機能を有し、ＬＥＤ基板４０上におけるＬＥＤ４１の配置ピッチと同一のピッチで複数の貫通孔５１が２列をなして設けられている。そして、反射機能を有する面がＬＥＤ基板４０とは反対側となるように、かつ、複数のＬＥＤ４１のそれぞれが貫通孔５１から表出するようにＬＥＤ基板４０上に搭載され、複数の貫通孔５１が列をなす方向に沿う端部が外郭ケース２０の内側面に設けられた溝２１に嵌め込まれて固定されている。つまり、外郭ケース２０の内側面に設けられた溝２１は、ＬＥＤ基板４０と反射板５０の厚さを合わせた幅となっている。
【００２２】
外郭ケース２０の両端部に嵌め込まれた口金３０には、それぞれ２本の接続端子となる口金ピン３１ａ，３１ｂが設けられているとともに、その裏面の対向する位置にはこれら口金ピン３１ａ，３１ｂに接続された接続部３３ａ，３３ｂを有する突起３２ａ，３２ｂが設けられている。ＬＥＤ基板４０に搭載されたＬＥＤ４１は直流電源で駆動するため、４本の口金ピン３１ａ，３１ｂのうち、２本の口金ピンがＬＥＤ基板４０に接続され、これら２本の口金ピンのうち一方にプラスの電位が印加され、他方にＧＮＤ電位が印加されることにより、ＬＥＤ４１に直流電源が供給される。本形態においては、外郭ケース２０の両端部に嵌め込まれた口金３０のうち、一方の口金３０に設けられた２本の口金ピン３１ａ，３１ｂにプラス、ＧＮＤ電位がそれぞれ印加され、他方の口金３０に設けられた２本の口金ピンはダミーとなっている。なお、突起３２ａ，３２ｂに設けられた接続部３３ａ，３３ｂは、ＬＥＤ基板４０に設けられたランド部（不図示）に配線を介して接続され、それにより、口金ピン３１ａ，３１ｂに印加された電位がＬＥＤ４１に供給されることになる。
【００２３】
以下に、図２に示したＬＥＤ照明器具１において外郭ケース２０と口金３０との間に図１に示した回転規制部材１０を介在させた場合の作用について説明する。
【００２４】
まず、図１に示した回転規制部材１０の図２に示したＬＥＤ照明器具１への装着方法について説明する。
【００２５】
図３は、図１に示した回転規制部材１０の図２に示したＬＥＤ照明器具１への装着方法を説明するための図である。
【００２６】
図１に示した回転規制部材１０を図２に示したＬＥＤ照明器具１に装着する場合は、まず、図３（ａ）に示すように、図１に示した回転規制部材１０を図２に示したＬＥＤ照明器具１の口金３０の裏側に嵌め込み、接着剤によって接着する。この際、口金３０の裏側には、口金ピン３１ａ，３１ｂに対向する位置に接続部３３ａ，３３ｂを有する突起３２ａ，３２ｂが設けられており、この突起３２ａ，３２ｂを回転規制部材１０の孔部１３に嵌め込むようにして回転規制部材１０を口金３０に保持する。このように、口金３０の突起３２ａ，３２ｂを回転規制部材１０の孔部１３に嵌め込むことにより、回転規制部材１０が口金３０に対して、口金ピン３１ａ，３１ｂが並ぶ方向と突起部１２とが平行となるように回転不可能に保持される。
【００２７】
次に、ＬＥＤ基板４０に接続された配線を口金３０の接続部３３ａ，３３ｂにそれぞれはんだ付けし、回転規制部材１０が嵌め込まれた口金３０を、ＬＥＤ４１が搭載されたＬＥＤ基板４０が収納された外郭ケース２０の端部に嵌め込む。この際、図３（ｂ）に示すように、口金３０に嵌め込まれた回転規制部材１０の突起部１２が、外郭ケース２０の溝２１に嵌め込まれるようにして口金３０を外郭ケース２０の端部に嵌め込む。
【００２８】
すると、回転規制部材１０の突起部１２が、ＬＥＤ基板４０が嵌め込まれた溝２１に嵌め込まれることにより、回転規制部材１０の突起部１２とＬＥＤ基板４０とが平行となるように回転規制部材１０が外郭ケース２０の円筒面に沿って回転不可能な状態に保持される。
【００２９】
そして、口金ピン３１ａ，３１ｂに対向する位置に設けられた突起３２ａ，３２ｂが回転規制部材１０の孔部１３に嵌め込まれるとともに、回転規制部材１０の突起部１２が、ＬＥＤ基板４０が嵌め込まれた溝２１に嵌め込まれることにより、図３（ｃ）に示すように、口金ピン３１ａ，３１ｂの並ぶ方向とＬＥＤ基板４０とが平行な状態となって、外郭ケース２０の両端部に回転規制部材１０を介して口金３０が嵌め込まれ、口金３０が外郭ケース２０に対して外郭ケース２０の円筒面に沿って回転不可能な状態となる。
【００３０】
次に、回転規制部材１０による作用について説明する。
【００３１】
まず、図２に示したＬＥＤ照明器具１において外郭ケース２０と口金３０との間に図１に示した回転規制部材１０を介在させた場合の回転規制部材１０の状態について詳細に説明する。
【００３２】
図４は、図２に示したＬＥＤ照明器具１において外郭ケース２０と口金３０との間に図１に示した回転規制部材１０を介在させた場合の回転規制部材１０の状態を示す図であり、（ａ）は外郭ケース２０に対する回転規制部材１０の状態を示す図、（ｂ）は口金３０に対する回転規制部材１０の状態を示す図である。
【００３３】
上述したように、回転規制部材１０の突起部１２が、外郭ケース２０の溝２１に嵌め込まれると、図４（ａ）に示すように、回転規制部材１０は、外郭ケース２０の円筒面に沿って回転不可能な状態となる。この際、外郭ケース２０の溝２１には、ＬＥＤ基板４０が嵌め込まれていることにより、ＬＥＤ基板４０も外郭ケース２０の円筒面に沿って回転不可能な状態となっている。そのため、突起部１２が外郭ケース２０の溝２１に嵌め込まれることにより、回転規制部材１０が、ＬＥＤ基板４０に搭載されたＬＥＤ４１からの光の照射方向に応じて決められた方向に向くように保持されることになる。
【００３４】
また、口金ピン３１ａ，３１ｂに対向する位置に設けられた突起３２ａ，３２ｂが回転規制部材１０の孔部１３に嵌め込まれると、図４（ｂ）に示すように、回転規制部材１０は、口金３０に対して回転不可能な状態となる。そして、この回転規制部材１０が嵌め込まれた口金３０の突起部１２が外郭ケース２０の溝２１に嵌め込まれた場合にその回転が規制される方向は外郭ケース２０の円筒面に沿った方向となる。そのため、回転規制部材１０の孔部１３に突起３２ａ，３２ｂが嵌め込まれることにより、回転規制部材１０が、突起３２ａ，３２ｂの並び方向に応じて決められた方向に向くように保持されることになる。
【００３５】
次に、このようにして保持された回転規制部材１０による作用について説明する。
【００３６】
図５は、図２に示したＬＥＤ照明器具１において外郭ケース２０と口金３０との間に図１に示した回転規制部材１０を介在させた場合の作用を説明するための図であり、（ａ）はＬＥＤ照明器具１が装着されるランプソケット２の斜視図、（ｂ）はＬＥＤ照明器具１が（ａ）に示したランプソケット２に装着された状態をＬＥＤ照明器具１の長手方向から見た図である。
【００３７】
図２に示したＬＥＤ照明器具１は、図５（ａ）に示すようなランプソケット２に装着されて使用される。このランプソケット２は、天井３に取り付けられており、ＬＥＤ照明器具１の口金ピン３１ａ，３１ｂが嵌め込まれることにより、ＬＥＤ４１に電源を供給するための嵌合穴２ａ，２ｂが設けられている。なお、２つの嵌合穴２ａ，２ｂは、天井３と平行に並んでいる。
【００３８】
このようなランプソケット２の嵌合穴２ａ，２ｂに口金ピン３１ａ，３１ｂを嵌め込むと、２つの嵌合穴２ａ，２ｂが天井３と平行に並んでいることにより、口金ピン３１ａ，３１ｂの並ぶ方向が天井３と平行になる。また、回転規制部材１０が嵌め込まれたＬＥＤ照明器具１においては、上述したように口金ピン３１ａ，３１ｂの並ぶ方向とＬＥＤ基板４０とが平行となっていることから、ＬＥＤ基板４０が天井３と平行となる。
【００３９】
この状態でＬＥＤ基板４０に搭載されたＬＥＤ４１に嵌合穴２ａ，２ｂ及び口金ピン３１ａ，３１ｂを介して電源を供給してＬＥＤ４１を発光させると、上述したように、回転規制部材１０によって口金ピン３１ａ，３１ｂの並ぶ方向とＬＥＤ基板４０とが平行となることによってＬＥＤ基板４０が天井３と平行となっていることにより、図５（ｂ）に示すように、天井３から垂直に降ろした線を中心としたＬＥＤ照射範囲にＬＥＤ４１からの光が照射されることになる。
【００４０】
このように、回転規制部材１０を、突起部１２を外郭ケース２の溝２１に嵌め込むことにより外郭ケース２に保持するとともに、孔部１３に口金３０の突起３２ａ，３２ｂを嵌め込んで口金３０に保持した状態でこれら外郭ケース２と口金３０との間に介在させるだけで、この回転規制部材１０が嵌め込まれたＬＥＤ照明器具１を、天井３と平行となる方向に並んだ２つの嵌合穴２ａ，２ｂを有するランプソケット２に装着した場合、ＬＥＤ４１から照射された光の向きを天井３から垂直に降ろした線を中心としたＬＥＤ照射範囲とすることができる。
【００４１】
なお、本形態においては、ＬＥＤ照明器具１をランプソケット２に装着した場合、ＬＥＤ４１から照射された光の向きが天井３から垂直に降ろした線を中心としたＬＥＤ照射範囲となるものを例に挙げて説明したが、これは、ランプソケット２が、天井３と平行となる方向に並んだ２つの嵌合穴２ａ，２ｂを有するものであるとともに、口金３０に設けられた２本の口金ピン３１ａ，３１ｂの並び方向と外郭ケース２に収容されたＬＥＤ基板４０とが平行となっていることによるものであって、本発明はこれに限らず、回転規制部材１０が、外郭ケース２の円筒面に沿って回転する方向における向きがＬＥＤ４１からの光の照射方向に応じて決められた方向となるように外郭ケース２に保持されるとともに、この円筒面に沿って回転する方向における向きが口金ピン３１ａ，３１ｂ等の接続端子の形状や位置に応じて決められた向きとなるように口金３０に保持されていれば、それに応じたランプソケットにＬＥＤ照明器具１を装着した場合、ＬＥＤ４１から照射された光の向きを予め決められた向きとすることができる。すなわち、口金３０に設けられる接続端子は、本形態のように複数本ある必要はなく、また、その形状もピンである必要はない。
【符号の説明】
【００４２】
１    ＬＥＤ照明器具
２    ランプソケット
２ａ，２ｂ    嵌合穴
３    天井
１０    回転規制部材
１１    平板部
１２    突起部
１３    孔部
２０    外郭ケース
２１    溝
３０    口金
３１ａ，３１ｂ    口金ピン
３２ａ，３２ｂ    突起
３３ａ，３３ｂ    接続部
４０    ＬＥＤ基板
４１    ＬＥＤ
５０    反射板
５１    貫通孔
【図１】
2012094279.tif 000003
【図２】
2012094279.tif 000004
【図３】
2012094279.tif 000005
【図４】
2012094279.tif 000006
【図５】
2012094279.tif 000007